(57)【特許請求の範囲】
【請求項１】
現金式台間玉貸機から排出される硬貨及びカード式台間玉貸機から排出される使用済みカードを一つの共通搬送路に沿って設けられた搬送ベルトにより島端部まで搬送する主搬送部と、その主搬送部により前記共通搬送路の末端まで搬送されてきた硬貨とカードを一枚ずつに分離し、かつ、硬貨はこれを自重落下させ、カードはこれを直進させて分別する分別機構と、その分別機構により落下された硬貨を金庫に送り込む硬貨搬送部と、前記分別機構により直進されたカードをカード収納箱に送り込むカード搬送部とを備えた遊技装置における回収装置において、
前記分別機構は、中央部に硬貨の直径よりもやや大きい幅を有する径小部を、両端部にカードの幅方向両端部に対応する径大部を有する異径ローラからなる分離ローラを、前記共通搬送路の末端付近において前記搬送ベルトの上側に設置し、前記搬送ベルトによる搬送方向と逆方向に回転させてなり、前記径小部においては前記共通搬送路を搬送されてくる硬貨を１枚のみ通過させるように規制し、前記径大部においては前記共通搬送路を搬送されてくるカードを１枚のみ通過させるように規制する第１分離手段と、前記第１分離手段により前記共通搬送路の末端から直進されるカードの進行面の上下に、少なくとも下側においては前記共通搬送路の末端から硬貨の直径よりもやや大きな距離を隔てた位置において、前記カードの進行方向と同じ方向に回転される引渡しローラを設けてなり、前記共通搬送路の末端から放出される硬貨を前記共通搬送路の末端と前記引渡しローラとの間から自重落下させ、かつ、前記共通搬送路の末端から直進されるカードを、その両端部を挟持して前進させる第２分離手段とから構成されていることを特徴とする遊技装置における回収装置。
【請求項２】
現金式台間玉貸機から排出される硬貨及びカード式台間玉貸機から排出される使用済みカードを一つの共通搬送路に沿って設けられた搬送ベルトにより島端部まで搬送する主搬送部と、その主搬送部により前記共通搬送路の末端まで搬送されてきた硬貨とカードを一枚ずつに分離し、かつ、硬貨はこれを自重落下させ、カードはこれを直進させて分別する分別機構と、その分別機構により落下された硬貨を金庫に送り込む硬貨搬送部と、前記分別機構により直進されたカードをカード収納箱に送り込むカード搬送部とを備えた遊技装置における回収装置において、
前記分別機構は、中央部に硬貨の直径よりもやや大きい幅を有する径小部を、両端部にカードの幅方向両端部に対応する径大部を有する異径ローラからなる分離ローラを、前記共通搬送路の末端付近において前記搬送ベルトの上側に設置し、前記搬送ベルトによる搬送方向と逆方向に回転させてなり、前記径小部においては前記共通搬送路を搬送されてくる硬貨を１枚のみ通過させるように規制し、前記径大部においては前記共通搬送路を搬送されてくるカードを１枚のみ通過させるように規制する第１分離手段と、前記第１分離手段により前記共通搬送路の末端から直進されるカードの進行面の上下に、少なくとも下側においては前記共通搬送路の末端から硬貨の直径よりもやや大きな距離を隔てた位置において、前記カードの進行方向と同じ方向に回転される引渡しローラを設けてなり、前記共通搬送路の末端から放出される硬貨を前記共通搬送路の末端と前記引渡しローラとの間から自重落下させ、かつ、前記共通搬送路の末端から直進されるカードを、その両端部を挟持して前進させる第２分離手段と、前記引渡しローラの後方に設けられ、前記引渡しローラにより前進されるカードの幅方向両端部をその下面において支持し、幅方向中間部が空いているガイドと、前記ガイドの上側に設けられ、前記引渡しローラによるカードの前進方向と逆方向に回転されて、前記カードに乗ってきた時の硬貨をそのカードから分離して前記ガイドの空いている部分から自重落下させる分離ローラとからなる第３分離手段とから構成されていることを特徴とする遊技装置における回収装置。
【発明の詳細な説明】
【０００１】
【発明の属する技術分野】
本発明は、現金投入により玉貸しを行う現金式台間玉貸機とカード挿入により玉貸しを行うカード式台間玉貸機を備えた遊技装置において、各台間玉貸機に投入された硬貨及び挿入されて使用済みになったカードを、島端部に回収するための回収装置に関する。
【０００２】
【従来の技術】
二つの遊技機列を背中合わせに配置してなる遊技装置（遊技島）には台間玉貸機が設置されるが、従来、台間玉貸機の設置パターンには次の２種類がある。すなわち、現金式台間玉貸機のみを設置する場合（ａ型）、カード式台間玉貸機のみを設置する場合（ｂ型）である。しかし、現金式台間玉貸機とカード式台間玉貸機の両方を設置するパターン（ｃ型）は、今だ実現されていない。
ａ型において、現金式台間玉貸機に投入された現金を紙幣搬送手段及び硬貨搬送手段により島端部まで搬送して金庫に回収するようにした回収装置は周知である（例えば、特開平9-99165 公報）。
ｂ型において、カード式台間玉貸機において使用済みカードと判定されたカードを取込み、カード搬送手段により島端部まで搬送してカード収納箱に回収するようにした回収装置は、特開平9-99165 公報、特許第2889225 号及びあるいは特許第2922866 号公報に記載されている。
【０００３】
【発明が解決しようとする課題】
一つの遊技島において現金式台間玉貸機とカード式台間玉貸機を併用しようとする場合、又は現金とカードの両方を利用できる台間玉貸機を用いようとする場合は、上記従来技術によれば、遊技島の一端から他端まで延長する紙幣搬送手段のほかに、硬貨搬送手段とカード搬送手段を設置する必要がある。
しかし、通常の遊技島においては、背中合わせに並設してある遊技機列の間に、紙幣搬送路と硬貨搬送路とカード搬送路の３本の搬送路及び駆動体を設置するには、スペースが狭くて設置空間の確保が困難であるばかりでなく、メンテナンス作業も容易でない。
また、現金式台間玉貸機に、遊技客から収受した硬貨を硬貨搬送路に排出させるためのシュートに等長のものを用い、カード式台間玉貸機に、取込んだ使用済みカードをカード搬送路に排出させるためのシュートに等長のものを用いる場合は、全ての現金式台間玉貸機を島の表裏の一方側に、全てのカード式台間玉貸機を島の表裏の他方側に設置しなければならない。従って、台間玉貸機の設置及び客の遊技位置について勝手性に欠けるという問題がある。
さらに、島の表裏の一方又は両方に、現金式台間玉貸機とカード式台間玉貸機の両方を連設し、又は混在させようとする場合は、異なる長さのシュートを用意する必要があり、それらの台間玉貸機をいずれの側に設置するかに応じて有効な長さのシュートを取り付ける必要があるため、部材管理が面倒であり、製造コストが高くなるという問題がある。
【０００４】
本発明者は、このような事情に鑑み、一つの搬送路を硬貨とカードの両方に共用すること、すなわち、搬送手段の共用化を想起した。しかし、各台間玉貸機から硬貨又は使用済みカードを共通搬送路に搭載させて島端部まで搬送することは容易であるが、島端部においてその共通搬送路の末端で硬貨とカードを確実に分別し、分別された硬貨及びカードをそれぞれ所定の金庫及びカード収納箱に回収することは容易ではない。これが、本発明の以前に、硬貨とカードを一つの搬送路を介して搬送してそれぞれ所定の金庫及びカード収納箱に回収するようにした回収装置が見当たらない理由であると思われる。
【０００５】
従って、本発明の課題は、現金式台間玉貸機とカード式台間玉貸機を併用する遊技装置において各台間玉貸機から排出される硬貨又は使用済みカードを一つの搬送手段により共通搬送路を介して島端部まで搬送し、それぞれ金庫又はカード収納箱に回収する場合に、島端部において簡単な構成により硬貨とカードを確実に分別し、かつ、硬貨が２枚以上重ねられた状態で島端部に到達したとき、又はカードが２枚以上重ねられた状態で島端部に到達したときに、硬貨とカードをそれぞれ１枚ずつに確実容易に分離してそれぞれ所定の金庫及びカード収納箱に回収することができるようにすることにある。
【０００６】
【課題を解決するための手段】
上記の課題を解決するため、本発明は、現金式台間玉貸機から排出される硬貨及びカード式台間玉貸機から排出される使用済みカードを一つの共通搬送路に沿って設けられた搬送ベルトにより島端部まで搬送する主搬送部と、その主搬送部により前記共通搬送路の末端まで搬送されてきた硬貨とカードを一枚ずつに分離し、かつ、硬貨はこれを自重落下させ、カードはこれを直進させて分別する分別機構と、その分別機構により落下された硬貨を金庫に送り込む硬貨搬送部と、前記分別機構により直進されたカードをカード収納箱に送り込むカード搬送部とを備えた遊技装置における回収装置において、前記分別機構は、中央部に硬貨の直径よりもやや大きい幅を有する径小部を、両端部にカードの幅方向両端部に対応する径大部を有する異径ローラからなる分離ローラを、前記共通搬送路の末端付近において前記搬送ベルトの上側に設置し、前記搬送ベルトによる搬送方向と逆方向に回転させてなり、前記径小部においては前記共通搬送路を搬送されてくる硬貨を１枚のみ通過させるように規制し、前記径大部においては前記共通搬送路を搬送されてくるカードを１枚のみ通過させるように規制する第１分離手段と、前記第１分離手段により前記共通搬送路の末端から直進されるカードの進行面の上下に、少なくとも下側においては前記共通搬送路の末端から硬貨の直径よりもやや大きな距離を隔てた位置において、前記カードの進行方向と同じ方向に回転される引渡しローラを設けてなり、前記共通搬送路の末端から放出される硬貨を前記共通搬送路の末端と前記引渡しローラとの間から自重落下させ、かつ、前記共通搬送路の末端から直進されるカードを、その両端部を挟持して前進させる第２分離手段とから構成されていることを特徴としている。
一台で現金とカードのいずれも利用できる台間玉貸機は、共通搬送路に硬貨を排出するシュートと使用済みカードを排出するシュートを有するので、上記現金式台間玉貸機又はカード式台間玉貸機に相当する。従って、この台間玉貸機を用いる場合も、本発明の技術的範囲に含まれるものである。
【０００７】
上記構成により、現金式台間玉貸機から排出される硬貨と、カード式台間玉貸機から排出される使用済みカードは、いずれも主搬送部の一つの共通搬送路を介して島端部まで搬送される。島端部まで搬送されてきた硬貨とカードは、分別機構により一枚ずつに分離され、かつ、硬貨は重力により、落下されカードは直進させられる。落下された硬貨は硬貨搬送部により、必要により選別部において選別された後、金庫に投入され、直進させられたカードは、カード搬送部によりカード収納箱に送り込まれる。
さらに詳しくは、上記構成により、主搬送部の共通搬送路を搬送ベルトにより島端部まで搬送されてくる硬貨は、第１分離手段の分離ローラの径大部により搬送ベルトの上面の中央に寄せられる。また、２枚以上の硬貨が重ねられた状態で島端部に到達した場合は、１枚ずつに分離されて搬送ベルトの回転とともに逆転している分離ローラの下端部の径小部を通過され、共通搬送路の末端から放出され、第２分離手段の引渡しローラとの間から硬貨搬送部に自重落下する。また、共通搬送路を搬送ベルトにより島端部まで搬送されてくるカードが２枚以上重なっている場合は、分離ローラの径大部により１枚ずつに分離され、搬送ベルトの回転とともに分離ローラの下端部を通過され、共通搬送路の末端から直進されて、第２分離手段の引渡しローラによりカード搬送部に送り込まれる。
【０００８】
現金式台間玉貸機で使用可能な硬貨が、例えば５００円と１００円の２種類である場合は、分別機構は、中央部に硬貨の直径よりもやや大きい幅を有する径小部を、両端部にカードの幅方向両端部に対応する径大部を有する異径ローラからなる分離ローラを、主搬送部の共通搬送路の末端付近において搬送ベルトの上側に設置し、前記搬送ベルトによる搬送方向と逆方向に回転させてなり、前記径小部においては前記共通搬送路を搬送されてくる硬貨を１枚のみ通過させるように規制し、前記径大部においては前記共通搬送路を搬送されてくるカードを１枚のみ通過させるように規制する第１分離手段と、前記第１分離手段により前記共通搬送路の末端から直進されるカードの進行面の上下に、少なくとも下側においては前記共通搬送路の末端から硬貨の直径よりもやや大きな距離を隔てた位置において、前記カードの進行方向と同じ方向に回転される引渡しローラを設けてなり、前記共通搬送路の末端から放出される硬貨は、これを前記共通搬送路の末端と前記引渡しローラとの間から自重落下させ、かつ、前記共通搬送路の末端から直進されるカードは、その両端部を挟持して前進させる第２分離手段と、前記引渡しローラの後方に設けられ、前記引渡しローラにより前進されるカードの幅方向両端部をその下面において支持し、幅方向中間部が空いているガイドと、前記ガイドの上側に設けられ、前記引渡しローラによるカードの前進方向と逆方向に回転されて、前記カードに乗っている硬貨をそのカードから分離して前記ガイドの空いている部分から自重落下させる分離ローラとからなる第３分離手段とから構成することができる。
上記構成により、第１分離手段と第２分離手段を通過したカードの上に硬貨が乗った状態で第３分離手段まで直進された場合は、カードはそのまま第３分離手段のガイドにより案内されてカード搬送路に引き渡される。そして、カードに乗ってきた硬貨は第３分離手段の分離ローラにより停止され、前記カードがガイドを通過した後に、ガイドの空いている部分から硬貨搬送部に自重落下する。
【０００９】
カード収納箱は島端部に設けられた筐体の中の前記主搬送部の搬送面よりも上側に設けられているとともに、金庫は前記筐体の中の前記主搬送部の搬送面よりも下側に設けられ、前記カード搬送部は、分離機構により分別され直進されるカードを前記カード収納箱の底面に、すでに収容されているカードを順次押し上げるようにそのカードの下側に押し込むものであり、硬貨搬送部は、前記分離機構により分別され自重落下される硬貨を、前記金庫の上側に設けてある硬貨選別機に投下するものであることが望ましい。
上記構成により、カード収納箱と金庫が筐体の中で縦に整列設置されるので、筐体の島端部からの出幅を大きくする必要がなく、筐体が小型となる。
【００１０】
カード収納箱を主搬送部の搬送面よりも上側に設けた場合は、カード搬送部は、複数個のプーリに巻回された搬送ベルトを有し、その搬送ベルトの前半部の上面は、分離機構により直進されるカードをカード収納箱にすでに収容されているカードの最低部のカードの前部の下側面に向けて押し込むように傾斜されていることが望ましい。
上記構成により、分離機構を直進したカードは、カード搬送部によりカード収納箱にすでに堆積されているカードの最低部のカードの前部の下面に向けて斜めに押し込まれるので、カードがボトムアップ式に収容される場合でも収容が容易に行われる。
【００１１】
【発明の実施の形態】
続いて、本発明の実施の形態を、遊技機がパチンコ機である場合の実施例について図面を参照しながら、説明する。
図１は遊技島の正面図、図２は同遊技島の主として硬貨及びカードの搬送経路を示す正面透視図、図３は現金式台間玉貸機及びカード式台間玉貸機と主搬送部の共通搬送路との関係を示す要部斜視図、図４は全体構成を概略的に示す説明図、図５は主搬送部の末端と島端部の筐体の中の構成を、主として硬貨及びカードの移動を中心として示す構成図、図６は主搬送部、分離機構、カード搬送部及び硬貨搬送部の駆動系を主として示す正面図、図７は図６における主として分離機構の平面図である。
図８は分離機構の第１分離手段の分離の原理を示す要部の斜視図、図９は同じく作用を説明する要部の正面図である。図１０は主に制御系統を説明するブロック図である。
【００１２】
図１に示すように、遊技島ＰＩの表裏両側にパチンコ機１が整列して背中合わせに設置されている。そして、各パチンコ機の左側に近接して周知の現金式台間玉貸機２ａ又はカード式台間玉貸機２ｂが設置されている。
本発明においては、島の表裏と、現金式台間玉貸機２ａ及びカード式台間玉貸機２ｂの設置位置の関係には、従来のような制限がない。すなわち、図４に例示するように、表裏いずれか一方側に現金式台間玉貸機２ａのみ、他方側にカード式台間玉貸機２ｂのみを設置すること、表又は裏、もしくは表裏両側にそれぞれ現金式台間玉貸機２ａ及びカード式台間玉貸機２ｂを何台かずつ連設し、又は混在させることが可能である。その理由は、後述される。
【００１３】
そして、島の一端部には筐体３が設けられ、その筐体３の中に、各台間玉貸機が遊技客から収受した硬貨又は使用済みカードを収納するための金庫４及びカード収納箱５が収容されている。
各台間玉貸機２ａ，２ｂが収受して排出する硬貨又は使用済みカードを島端部に設けられた金庫４又はカード収納箱５まで搬送して回収するため、島の表裏のパチンコ機１及び台間玉貸機２ａ，２ｂの間を島の他端部から一端部まで連続して延長する主搬送部Ａが設けられている。
主搬送部Ａは、図２に例示するように、島の一端部に設けられた、一例としてモータ６1 を用いる駆動体６と、島の一端部から他端部まで延長する共通搬送路７と、その共通搬送路の少なくとも一端部及び他端部、好ましくはさらに中間部に設けられたプーリ８1 〜８7 の間に巻回張設された無端平ベルトを用いる搬送ベルト９と、図６に示されているように、島の一端部側のプーリ８1 にモータ６1 の回転力を伝達するための、一例として、歯付きプーリ１０1 〜１０4 及びこれらの歯付きプーリに巻回張設されているタイミングベルト１０5 などを用いる動力伝達手段１０とから構成されている。
駆動体６、プーリ８1 及び動力伝達手段１０は、設置スペースの関係で、筐体３の中に取付けられている。
【００１４】
そして、図３に示すように、各現金式台間玉貸機２ａの背面から突出されている硬貨排出シュート１１及び各カード式台間玉貸機２ｂの背面から突出されているカード排出シュート１２の下端部は、主搬送部Ａの共通搬送路７内に設置された搬送ベルト９の上面に向けて開口されていて、現金式台間玉貸機２ａが遊技客から収受して排出する硬貨と、カード式台間玉貸機２ｂが遊技客の挿入したカードを使用済みと判定した場合に排出するカードが、いずれも搬送ベルト９の上面に落下され、共通搬送路７を経て図１及び図２においては、右側から左方向に、島端部まで搬送されるようになっている。
なお、１３は、現金式台間玉貸機２ａが紙幣対応型である場合に、客から収受した紙幣を島端部まで搬送する紙幣搬送手段の一部を構成する紙幣搬送路である。この紙幣搬送手段は、周知のものであり、本発明の主旨に関係ないので、詳細な説明を省略する。
【００１５】
前記主搬送部Ａの末端部には、筐体３の中に収容される形で、上記主搬送部Ａの共通搬送路７の末端まで搬送されてきた硬貨とカードを分別するための分別機構Ｂが設けられている。
分別機構Ｂは、図５及び図６に例示するように、共通搬送路７の末端部及び搬送ベルト９による搬送方向延長上に互いに比較的近接して設けられた、第１分離手段１４と、第２分離手段１５と、第３分離手段１６とから構成されている。
【００１６】
第１分離手段１４は、搬送ベルト９により搬送される硬貨又はカードが２枚以上重なった状態で島端部に到達した場合に、これを１枚ずつに分離して、後方に引き続き搬送させるためのものである。
第１分離手段１４は、図７，８，９図に示すような異径ローラからなる分離ローラ１４１を有している。すなわち、分離ローラ１４１は、中央部に、共通搬送路７を搬送される硬貨ＣＮの直径よりもやや大きな幅を有する径小部１４１ａを、その両端部に共通搬送路７を搬送されるカードＣＤの両端部に対応する径大部１４１ｂとを有している。そして、分離ローラ１４１は、歯付きプーリ１０3 の軸を共通の回転軸としてその軸に固着され、共通搬送路の末端部直前における搬送ベルト９の上面から上方に後述のような所定間隔を隔てた位置に設けられている。従って、分離ローラ１４１は、搬送ベルト９による搬送方向と逆方向に回転される。
また、分離ローラ１４１の径小部の下端部とベルト面の間には、１００円硬貨１枚分の厚みよりも大きく、１００円硬貨２枚分の厚みよりも小さいギャップが形成され、分離ローラ１４１の径大部１４１ｂの下端部とベルト面の間には、カード１枚分の厚みよりも大きく、カード２枚分の厚みよりも小さいギャップが形成されて、これらのギャップにより一種のゲートが構成されている。
【００１７】
分離ローラ１４１が上記所定間隔条件で搬送ベルトによる搬送方向と逆方向に回転されるように設けてあるため、まず、搬送ベルト９により共通搬送路の末端に向けて搬送される硬貨は、共通搬送路のいずれかの側に偏っている場合は、硬貨のベルト中央側の部分は搬送ベルト９から搬送方向の力を加えられ、硬貨の路肩側の部分は分離ローラ１４１から逆方向の力を受けるため、その硬貨は搬送ベルトの中央側に引き寄せられる。従って、全ての搬送される硬貨は、分離ローラの径小部１４１ａとベルトの間のゲート部分を通過しようとする。
次に、その通過しようとする硬貨が２枚以上重なっている場合は、上記径小部１４１ａにおけるギャップ条件により、最下部の１枚のみが前記ゲートを通過することができ、上側に重なっている硬貨はゲートの通過を阻止される。最下部の硬貨が通過すると、これによりベルト上面に接触することになった１枚の硬貨が今度は通過が可能になる。
【００１８】
台間玉貸機で使用可能な硬貨の金種は、一例として、５００円の１種類の場合と、５００円と１００円の２種類の場合がある。いずれの場合も、径小部１４１ａにおけるギャップは、５００円硬貨（ＣＮ１）１枚分の厚み（１．７〜１．９ｍｍ）よりも大きく、１００円硬貨（ＣＮ２）２枚分の厚み（１．４〜１．７×２＝２．８〜３．４ｍｍ）よりも小さければ良い。
【００１９】
また、共通搬送路７を搬送されてくるカードＣＤが２枚以上重なっている場合は、上記径大部１４１ｂにおけるギャップ条件により、最下部の１枚のカードのみがゲートを通過でき、上側のカードは通過を阻止される。そして、下側のカードが通過した後、今度はベルト９の上面に接触することになった１枚のカードが通過可能になる。
さらに、カードの上に硬貨（５００円又は１００円）が重なった状態で分離ローラ１４１とベルト９の間に進入しようとする場合は、カードは搬送ベルト９から搬送力が与えられるが、硬貨にカードを介して間接的に与えられる搬送力よりも、分離ローラ１４１から加えられる逆方向の力が大きいため、硬貨はこのゲートの通過を阻止される。
さらに、硬貨の上にカードが重なった状態で分離ローラ１４１とベルト９の間に進入しようとする場合は、硬貨はベルトから加えられる搬送力によりゲートを通過するが、カードには分離ローラのみが接触して逆方向の力が加えられるため、カードは通過を阻止される。
以上のようにして、第１分離手段１４においては、硬貨又はカードが一枚ずつに分離されて、共通搬送路７の末端に送り出される。
【００２０】
共通搬送路の末端の延長上には、搬送ベルトから送り出される硬貨とカードを硬貨の直径とカードの長さの差を利用して、硬貨はこれを重力落下させ、カードはこれをそのまま直進させることにより、硬貨とカードを分離する第２分離手段１５が設けられている。
第２分離手段１５は、搬送面の上側に設けられた搬送ベルト１５１と、搬送面の下側に搬送ベルト９から硬貨の直径よりもやや大きい間隔をもって回転自在に設けられた引渡しローラ１５２とを有している。そして、共通搬送路の末端と引渡しローラ１５２との間に硬貨落し穴１５３が形成されている。搬送ベルト１５１の後部を支持するプーリ１５１ａは、ねじりコイルばね１５１ｂにより引渡しローラ１５２に向けて弾力的に押圧されている。
これにより、第１分離手段１４により一枚ずつに分離されて搬送ベルト９により共通搬送路の末端から放出される硬貨は、硬貨落し穴１５３から自重落下する。また、第１分離手段１４により一枚ずつに分離されて搬送ベルト９により共通搬送路の末端から直進されるカードは、ベルト１５１と引渡しローラに１５２に挟持されて、そのまま直進を続けることができるようにしてある。
なお、搬送ベルト１５１に代えて、ローラ１５２に弾力的に押圧するローラを用い、そのローラと分離ローラ１４１の間にガイドを設けるようにしても良い。
【００２１】
現金式台間玉貸機２ａで使用可能な硬貨が例えぱ５００円のみである場合は、分離手段は第１分離手段１４と第２分離手段１５だけで充分であり、第３分離手段１６は不要である。そして、その場合は、第２分離手段１５における硬貨落し穴１５３から落下した硬貨は、直ちに、筐体３の下側に設けられた金庫４に、例えばシュート２２を介して投入し、また、第２分離手段１５により直進させるカードは、直ちにカード搬送部Ｃに送り込むようにしても良い。
【００２２】
しかし、現金式台間玉貸機で使用可能な硬貨が例えぱ１００円と５００円の２種類である場合は、図示の例のように、第２分離手段１５の後方にさらに第３分離手段１６が設けられる。
第３分離手段１６は、図５，６，７に示すように、第２分離手段１５のベルト１５１と引渡しローラ１５２とのニップ部の直後において、カード移動面の下側に設けられ、カードの両側部分をその下面から支持し、中間部が空いているガイド１６１と、カード移動面の上側に搬送方向と直角な軸回りに第２分離手段１５によるカード搬送方向と逆方向に回転される分離ローラ１６２とを有している。
【００２３】
ガイド１６１は、図７に示すように、一例として角形Ｙ字形に形成され、二股の部分は第２分離手段１５から直進されるカードの両側部分に対応し、かつ、二股の部分の間に形成された硬貨落し穴１６３が、第２分離手段１５の硬貨落し穴１５３と連続するように設置されている。また、分離ローラ１６２は、その外周面とガイド１６１との間にカード１枚分の厚みよりもやや大きく、かつ、カード１枚と１００円硬貨１枚分の厚みの和よりも小さな間隔をもって設置され、例えば、モータ１０の回転力を分与されて、ベルト１５１による搬送方向とは逆方向に回転される。
【００２４】
第３分離手段１６のガイド１６１の終端部及び分離ローラ１６２の後方には、カード搬送部Ｃが設けられている。カード搬送部は、少なくとも前端部、中間部及び終端部の３個の歯付きプーリ１７ａ，１７ｂ，１７ｃと、それらのプーリに巻回張設されている搬送ベルト１８と、前端部のプーリ１７ａの上方からベルトに押圧接触されるプレッシャローラ１９と、一例として終端部のプーリ１７ｃの回転軸に回転駆動力を与えるモータ２０とを有している。２１は、プレッシャローラ１９を下方に付勢するバネである。
そして、ベルト１８は、プレッシャローラ１９が接触する前端部付近を除く後方の部分は、その上側に設けてあるカード収納箱５の下方に開口されているカード進入口５１の下方に位置されている。また、ベルト１８の前端部とプレッシャローラ１９は、第３分離手段１６のガイド１６１の後端部至近に位置されている。さらに、ベルト１８は、前端部のプーリ１７ａと中間部のプーリ１７ｂとの間の部分がカード進行方向に向かって上り傾斜面になり、中間部のプーリ１７ｂと終端部のプーリ１７ｃとの間の部分が水平面になるように、各プーリ１７ａ〜１７ｃの位置が設定されている。
【００２５】
こうして、第２分離手段１５により直進されるカードは、第３分離手段１６のガイド１６１の上面で案内されてカード搬送部Ｃのプレッシャローラ１９と搬送ベルト１８の前端部の間に進入し、ベルト１８により、カード収納箱５のカード進入口５１からそのカード収納箱に収容される。この場合、カードの先端部は搬送ベルト１８の傾斜面により、カード収納箱５の最低部にすでに収容されているカードの前部下面に斜めに押し込まれるので、そのカードは容易に既存カードの下側から回収箱５に収容されることができる。
【００２６】
第２分離手段１５及び第３分離手段１６の下方には、硬貨搬送部Ｄが設けられている。硬貨搬送部Ｄは、主搬送部Ａの共通搬送路７の末端の下方から斜めに設置されたシュート２２と、そのシュートの下端部に近接して設置されたベルトコンベア２３とを有している。ベルトコンベア２３は、複数個のプーリ２４ａ，２４ｂ，２４ｃと、これらのプーリの間に巻回張設された搬送ベルト２５と、搬送ベルト２５を所定方向に回転させるモータ２６とからなっている。搬送ベルト２５の上面中央部の上方には、搬送ベルト面から所定の距離を隔てて分離ローラ２７が設けられている。２８は、モータ２６の回転力をプーリ２４ａ及び分離ローラ２７に伝達するタイミングベルトやチェーンなどの動力伝達手段である。
硬貨搬送部Ｄの搬送ベルト２５の搬送始端部を主搬送部Ａの搬送ベルト９の搬送終端部に近接して設ければ、シュート２２を不要にすることができる。
【００２７】
分離ローラ２７は、搬送ベルト２５の上面との間に１００円硬貨の１枚分の厚みよりも大きく、２枚分の厚みよりも小さな間隔をもって取り付けられ、搬送ベルト２５による搬送方向と逆方向に回転されることにより、分離機構Ｂから搬送ベルト２５に落下される硬貨が１枚ずつに分離されて、搬送ベルト２５の搬送終端部から放出されるようにしてある。
【００２８】
搬送ベルト２５の搬送終端部の下方には、５００円硬貨と１００円硬貨を選別して、計数する周知の硬貨選別機２９が設けられている。そして、選別された硬貨は、必要により設けられているシュート３０ａ，３０ｂを介してそれぞれ既知の金庫４ａ，４ｂに投下されるようになっている。
現金式台間玉貸機で使用可能な硬貨が例えば５００円硬貨の１金種である場合は、硬貨選別機２９は不要であり、主搬送部Ａの搬送ベルト９の搬送終端部から一例として延長されたシュート２２を介して直接に一つの金庫に落下させることができる。
【００２９】
なお、カード収納箱５に関しては、一例として、第３分離手段１６を通過するカード又はカード搬送部のプレッシャローラ１９と搬送ベルト１８により搬送されるカードを検知するセンサｓ２が設けられ、そのセンサｓ２からの検知信号に基づいてカード搬送部Ｃが当該カードがカード収納箱に収容されるに必要な一定時間駆動される。また、センサｓ２の出力信号は、カード収納箱に回収されるカードの枚数を計数するためにも利用される。また、カード収納箱に収容されたカードの最上部のカードがカード収納箱の上端部付近まで到達すると、そのカードにより作動されるニアフルセンサｓ３が設けてある。
さらに、カード収納箱５は、筐体３に中の所定位置に着脱自在に取付けられ、収納箱が装着されているか否かを検知する収納箱有無センサｓ４が取付けられている。着脱自在にしたことにより、ニアフルセンサｓ３の作動に基づきニアフルが後述される表示部・操作部Ｆに表示された場合には、カード収納箱を筐体から取出すとともに、空のカード収納箱を装填した後、取出したカード収納箱を所望の位置に持ち運び、その回収箱からカードを容易に排出して、計数又は新旧のカードの選別を行うことができる利点がある。
【００３０】
回収装置には、上記の構成のほかに、図１０に示すように、制御部Ｅ、表示部及び操作部Ｆ、電源部Ｇが設けてある。制御部Ｅには、主搬送部Ａの搬送ベルト９の動作確認用センサｓ１と、硬貨搬送部Ｄの搬送ベルト２５の動作確認用センサｓ５とからの信号を入力する。そして、制御部Ｅは、電源投入に基づいて主搬送部Ａ及び硬貨搬送部Ｄを常時駆動する。すなわち、モータ６1 及び２６を連続して回転させる。また、カード搬送部Ｃに対しては、カードセンサｓ２から検知信号を入力した時に当該カードがカード収納箱５に収容されるのに必要な一定時間駆動するようにしてある。そして、センサｓ１，ｓ５のいずれか一方から駆動駆動確認信号が入力しない時又はカード収納箱有無センサｓ４から無信号入力時は、制御部は運転を停止するようにしてある。また、カード収納箱のニアフルセンサｓ３又は金庫に設けてある満杯センサｓ６から入力した時も、運転を停止するようにしてある。
【００３１】
【発明の効果】
上述のように、請求項１の発明によれば、搬送路の末端まで搬送されてきた硬貨とカードを一枚ずつに分離し、かつ、硬貨はこれを自重落下させ、カードはこれを直進させて分別する分別機構を備えたので、現金式台間玉貸機から排出される硬貨を島端部まで搬送して、島端部に設けられた金庫に回収し、カード式台間玉貸機から排出される使用済みカードを島端部まで搬送して、島端部に設けられたカード収納箱に回収する遊技装置における回収装置において、島端部の一端から他端まで連続する一つの共通搬送路を用いることが可能となり、従って、現金式台間玉貸機とカード式台間玉貸機が設けられている遊技島の搬送系統の構造が簡素になり、設置及びメンテナンスが容易である。また、一つの共通搬送路を用いるので、島の一方側に現金式台間玉貸機とカード式台間玉貸機の一方を、島の他方側に現金式台間玉貸機とカード式台間玉貸機の他方を設置する設置パターンと、島の片側又は両側に現金式台間玉貸機とカード式台間玉貸機を連設又は混在させる設置パターンのいずれも採用することができるので設置の勝手性に優れている。その際、現金式台間玉貸機の現金排出シュートもカード式台間玉貸機のカード排出シュートも同一長のものを使用することができるので、各台間玉貸機のコストが低減される。
また、分別機構は、中央部に硬貨の直径よりもやや大きい幅を有する径小部を、両端部にカードの幅方向両端部に対応する径大部を有する異径ローラからなる分離ローラを、共通搬送路の末端付近において搬送ベルトの上側に設置し、搬送ベルトによる搬送方向と逆方向に回転させてなり、径小部は共通搬送路を搬送されてくる硬貨を１枚のみ通過させるように規制し、径大部は共通搬送路を搬送されてくるカードを１枚のみ通過させるように規制する第１分離手段と、その第１分離手段により共通搬送路の末端から直進されるカードの進行面の上下に、少なくとも下側においては共通搬送路の末端から硬貨の直径よりもやや大きな距離を隔てた位置において、カードの進行方向と同じ方向に回転される引渡しローラを設けてなり、共通搬送路の末端から放出される硬貨を共通搬送路の末端と引渡しローラとの間から自重落下させ、かつ、共通搬送路の末端から直進されるカードを、その両端部を挟持して前進させる第２分離手段とから構成されているので、比較的簡単な構造の分別機構により、カードと硬貨の分別及び１枚ずつの確実な分離が可能であり、カードの回収を迅速に行うことができる。
【００３２】
請求項２の発明によれば、カードと２種類の硬貨の分別が可能であり、かつ、カードの上に硬貨が乗った状態で第２分離手段を通過した場合でも、確実に硬貨とカードの分離がなされ、また、カードの回収を迅速に行うことができる。
【図面の簡単な説明】
【図１】  遊技島の正面図。
【図２】  同遊技島の主として硬貨及びカードの搬送経路を示す正面透視図。
【図３】  現金式台間玉貸機及びカード式台間玉貸機と主搬送部の共通搬送路との関係を示す要部斜視図。
【図４】  全体構成を概略的に示す説明図。
【図５】  主搬送部の末端と島端部の筐体の中の構成を、主として硬貨及びカードの移動を中心として示す構成図。
【図６】  主搬送部、分離機構、カード搬送部及び硬貨搬送部の駆動系を主として示す正面図。
【図７】  図６における主として分離機構の平面図。
【図８】  分離機構の第１分離手段の分離の原理を示す要部の斜視図。
【図９】  同じく作用を説明する要部の正面図。
【図１０】  主に制御系統を説明するブロック図。
【符号の説明】
ＰＩ    遊技島
１        パチンコ機（遊技機）
２ａ      現金式台間玉貸機
２ｂ      カード式台間玉貸機
３        筐体
４（４ａ，４ｂ）      金庫
５        カード収納箱
Ａ      主搬送部
６        主搬送部の駆動体
６1      モータ
７        共通搬送路
８1 〜８  プーリ
９        搬送ベルト
１０      伝動手段
１１      硬貨排出シュート
１２      カード排出シュート
Ｂ      分別機構
１４      第１分別手段
１４１    分離ローラ
１４１ａ  径小部
１４１ｂ  径大部
１５      第２分別手段
１５１    搬送ベルト
１５２    引渡しローラ
１６      第３分離手段
１６１    ガイド
１６２    分離ローラ
Ｃ      カード搬送部
１７ａ〜１７ｃ  プーリ
１８      搬送ベルト
１９      プレッシャローラ
２０      モータ
２２      シュート
Ｄ      硬貨搬送部
２３      ベルトコンベア
２４ａ〜２４ｃ  プーリ
２５      搬送ベルト
２６      モータ
２７      分離ローラ
２８      硬貨選別機
【図１】
0003973811.tif 000002
【図２】
0003973811.tif 000003
【図３】
0003973811.tif 000004
【図４】
0003973811.tif 000005
【図５】
0003973811.tif 000006
【図６】
0003973811.tif 000007
【図７】
0003973811.tif 000008
【図８】
0003973811.tif 000009
【図９】
0003973811.tif 000010
【図１０】
0003973811.tif 000011